(57)【特許請求の範囲】
【請求項１】
フィルタアセンブリのフィルタを、フィルタカバーに一体的に形成されフィルタに垂下する枠部材と本体に設けられた段部とで挟持するとともに、フィルタカバーに一体的に形成されフィルタに垂下する複数の棒状支持部材を点在配置させて支えるようにしたことを特徴とする防塵フィルタ。
【請求項２】
前記棒状支持部材の数を、清浄空気導入口周辺において多くなるよう増加させたことを特徴とする請求項１記載の防塵フィルタ。
【請求項３】
フィルタに垂下する前記枠部材の前記清浄空気導入口周辺部に、前記フィルタに垂下するリブを設け、前記フィルタを支持するようにしたことを特徴とする請求項１または２記載の防塵フィルタ。
【請求項４】
前記棒状支持部材の先端を球状にしたことを特徴とする請求項１ないし３記載の防塵フィルタ。
【発明の詳細な説明】
【０００１】
【発明の属する技術分野】
本発明は車両用蒸発燃料処理装置に装着される防塵フィルタに関し、詳細にはフィルタの挟持固定構造に関するものである。
【０００２】
【従来の技術】
従来、車両用蒸発燃料処理装置は、車両の燃料タンク等から蒸発する燃料をキャニスタに内蔵した吸着剤によって吸着し、吸気管負圧によってキャニスタ内に大気を導入し、吸気管内に脱離させるようにしている。キャニスタ内に大気を導入するに当たり、大気中に塵埃等が含まれている場合、キャニスタ内の吸着剤が塵埃等により目詰まりをおこし処理能力が低下しないよう、塵埃等を除去するためキャニスタの大気導入口に防塵フィルタを装着したものが、特開平２−７０９６７号公報で公知である。前記公報の図３において、フィルタが吸気管負圧によって吸引側に引かれても、外れやめくれがないように、大気ポートのケーシングと本体等とでフィルタを挟持している。
【０００３】
【発明が解決しようとする課題】
しかしながら、このフィルタに柔軟性がある場合には、前記ケーシングと本体等との挟持力には限界が生じ、十分な挟持力が期待できない。したがって、フィルタの塵埃等による目詰まりによって吸気抵抗が増加すると、吸気管負圧によってフィルタが吸引され挟持部において外れやめくれが生じ、フィルタとしての機能が損なわれることが懸念される。また、挟持力を保つため、フィルタを剛性を有する枠体と一体にして、フィルタユニットとして挟持することも考えられるが、部品コストの上昇を来すこととなる。そこで本発明は、フィルタの外れやめくれを防止するとともに、フィルタ自体をフィルタユニット化せずに、コスト低減を図り、効果的に挟持力を維持することを課題とするものである。
【０００４】
【課題を解決するための手段】
前記課題の解決を目的としてなされた請求項１の発明は、フィルタアセンブリのフィルタを、フィルタカバーに一体的に形成されフィルタに垂下する枠部材と本体に設けられた段部とで挟持するとともに、フィルタカバーに一体的に形成されフィルタに垂下する複数の棒状支持部材を点在配置させて支えるようにしたことを特徴とする。また、請求項２の発明は、前記棒状支持部材の数を、清浄空気導入口周辺において多くなるよう増加させたことを特徴とする。また、請求項３の発明は、フィルタに垂下する前記枠部材の前記清浄空気導入口周辺部に、前記フィルタに垂下するリブを設け、前記フィルタを支持するようにしたことを特徴とする。また、請求項４の発明は、前記棒状支持部材の先端を球状にしたことを特徴とする。
【０００５】
【発明の作用および効果】
上述のように、請求項１の発明においては、フィルタカバーからフィルタに垂下する枠部材と本体に設けられた段部とでフィルタ自体の周縁を挟持し、複数の棒状支持部材を点在配置してフィルタの中央を支えるようにしたので、吸気管負圧によってフィルタが吸引されても棒状支持部材で支えられるので、フィルタが挟持部から外れることがなく、確実に挟持固定ができる。また、フィルタ自体の周縁を挟持するようにしたので、フィルタをユニット化する必要がなくなり、部品点数を削減するることができコスト低減ができる。また、請求項２の発明においては、棒状支持部材の数を、清浄空気導入口周辺において多くなるよう増加させたので、フィルタが防塵作用によって目詰まりを起こした場合に、吸気管負圧によって清浄空気導入口付近においてめくれ上がるのを防止することができる。また、請求項３の発明においては、フィルタに垂下する枠部材の清浄空気導入口周辺部に、フィルタに垂下するリブを設け、フィルタを支持するようにしたので、フィルタの支持面積が増加し、前記のめくれ上がりをより確実に防止することができる。また、請求項４の発明においては、棒状支持部材の先端を球状に形成したので、フィルタカバーを摩擦溶着する時、フィルタとの間に摩擦が生じても、フィルタの面を傷損することがない。
【０００６】
【発明の実施の形態】
本発明に係る第１の実施形態について図面を参照して説明する。図１において、蒸発燃料を吸着する吸着剤２１を内蔵するキャニスタ２０の空気導入口２０ａには、Ｏリング２２により気密が保持されてフィルタアセンブリ１０が装着されている。フィルタアセンブリ１０はフィルタカバー１および本体２ならびにフィルタ３から構成される。フィルタカバー１と本体２は接合部分１ａが溶着され気密を保持している。フィルタカバー１にはフィルタカバー１と一体的に形成され本体２に挿入される枠部材１ｂおよび同じくフィルタカバー１と一体的に形成されフィルタ３を支持する複数の棒状支持部材１ｃが点在配置されて垂設されている。なお、棒状支持部材１ｃの断面形状は本実施形態では円形で示しているが、特に円形に限定するものではなく、流路抵抗にならず成形のしやすい形状ならば何れでも良い。
【０００７】
フィルタ３は、本体２に設けられた段部２ａと、枠部材１ｂとにより挟持固定されている。フィルタ３に垂下する複数の棒状支持部材１ｃはフィルタ３を支持するようフィルタ３の上面側に接触している。そして、この棒状支持部材１ｃの先端は、フィルタカバー１と本体２を摩擦溶着する時、フィルタ３との相対移動による摩擦によってフィルタ３の損傷を防止するため、球状に形成されている。本体２の下部には大気を導入するための大気導入口２ｂが設けられ、上部には清浄空気導入口２ｃが設けられ、キャニスタ２０に連結連通している。枠部材１ｂの清浄空気導入口２ｃに対応する部分は、少なくとも清浄空気導入口２ｃと同一の面積を有する円形に切り欠かれ、フィルタカバー１が上下２方向に分割される金型により成形できるようＵ字形の切欠き１ｄが設けられている。
【０００８】
次に第１の実施形態について、その作用を説明する。吸着剤２１によって吸着された蒸発燃料を吸気管（図示せず）内に脱離するため、キャニスタ２０内に吸気管負圧が作用すると、フィルタアセンブリ１０の大気導入口２ｂから大気が導入される。導入された大気はフィルタ３を透過して清浄空気導入口２ｃからキャニスタ２０内に導入される。大気に含まれる塵埃等はフィルタ３で濾し取られ、清浄空気がキャニスタ２０に導入される。この時、フィルタ３は、段部２ａと枠部材１ｂとによって挟持され、かつ、複数の棒状支持部材１ｃによって中央を支持されているため、フィルタ３は挟持部に挟持固定されたままとなっており、外れることがない。
【０００９】
次に、図２を参照して本発明に係る第２の実施形態について説明する。長期間使用の後、フィルタ３に塵埃等が溜まり、目詰まりを生じた場合には、フィルタ３の空気透過性が落ち吸気抵抗が増加すると、図３に示すように、枠部材１ｂの切欠き１ｄ部にあたる挟持力の不足するフィルタ３の一部が吸気管負圧で吸引されてめくれ上がるため、塵埃等を含んだ大気がフィルタ３下部を通過してキャニスタ２０内に直接流入することとなる。そのため、吸着剤２１に塵埃等が付着して吸着能力が低下する場合がある。そこで、フィルタ３がめくれ上がる部分の周辺に、棒状支持部材１ｃ’を増設しめくれ上がりを防止したもので、本実施形態においては棒状支持部材１ｃ’を図２（ｂ）に示すように、切欠き１ｄ部の近傍に、清浄空気導入口２ｃの中心に対応する位置に１本のみ付加して構成されている。
【００１０】
棒状支持部材１ｃ’の数を増加すれば、さらに効果的である。また、同様の目的で清浄空気導入口２ｃ側の枠部材１ｂに、フィルタ３に垂下する複数のリブ１ｅを付加しているので、枠部材１ｂの支持面積が増してフィルタ３への挟持力が増加し、めくれ上がりを確実に防止することができる。棒状支持部材１ｃ’およびリブ１ｅの付加はそれぞれ単独で構成しても効果があるが、両者を併用すればさらに効果的である。棒状支持部材１ｃ’およびリブ１ｅは何れもフィルタカバー１に一体的に垂設されフィルタ３に垂下しているので、上下２方向に分割される金型で成形が可能である。
【００１１】
なお、本発明に係る防塵フィルタは、キャニスタの吸入空気を清浄化するためだけに限定されるものではなく、フィルタを使用するすべての空気清浄器に利用し得るものである。また、フィルタの取付方向は本実施形態に示す水平方向のみでなく、フィルタカバーとともに垂直に配置し、フィルタカバーに清浄空気導入口を設けてキャニスタ等に取り付けても良い。また、フィルタカバーを廃止し、キャニスタ等に直接枠部材および棒状支持部材を一体的に設けても良い。
【図面の簡単な説明】
【図１】図１（ａ）は本発明の第１の実施形態に係るフィルタアセンブリの上面断面図である。
図１（ｂ）は本発明の第１の実施形態に係るフィルタアセンブリの側面断面図である。
図１（ｃ）は本発明の第１の実施形態に係るフィルタアセンブリの正面断面図である。
【図２】図２（ａ）は本発明の第２の実施形態に係るフィルタアセンブリの上面断面図である。
図２（ｂ）は本発明の第２の実施形態に係るフィルタアセンブリの正面断面図である。
【図３】図３（ａ）は本発明の第１の実施形態に係るフィルタアセンブリの使用経過後の側面断面図である。
図３（ｂ）は本発明の第１の実施形態に係るフィルタアセンブリの使用経過後の正面断面図である。
【符号の説明】
１    フィルタカバー
１ｂ  枠部材
１ｃ  棒状支持部材
１ｃ’棒状支持部材
１ｅ  リブ
２    本体
２ａ  段部
２ｃ  清浄空気導入口
３    フィルタ
１０    フィルタアセンブリ
２０    キャニスタ
２０ａ  空気導入口
【図１】
0003680086.tif 000002
【図２】
0003680086.tif 000003
【図３】
0003680086.tif 000004